(57)【特許請求の範囲】
【請求項１】
可搬型無線ネットワーク中継装置と、据え置き型無線ネットワーク中継装置とを備える無線ネットワークシステムであって、
前記可搬型無線ネットワーク中継装置は、
ファイルのダウンロード要求をクライアントから受け取る第１の要求受付部と、
前記可搬型無線ネットワーク中継装置と前記据え置き型無線ネットワーク中継装置とが互いに接触して接続されている際に、前記受け取られたダウンロード要求を、前記据え置き型無線ネットワーク中継装置に送信するダウンロード要求送信部と、
ファイル格納部と、
前記据え置き型無線ネットワーク中継装置から送信された前記ファイルを受信し、前記ファイル格納部に格納するファイル格納制御部と、
を有し、
前記据え置き型無線ネットワーク中継装置は、
前記可搬型無線ネットワーク中継装置と前記据え置き型無線ネットワーク中継装置とが互いに接触して接続されている際に、前記可搬型無線ネットワーク中継装置から送信された前記ダウンロード要求を受信するダウンロード要求受信部と、
前記受信されたダウンロード要求に基づき、前記ファイルをダウンロードする第１のファイル取得部と、
前記可搬型無線ネットワーク中継装置と前記据え置き型無線ネットワーク中継装置とが互いに接触して接続されている際に、前記ダウンロードされたファイルを、前記可搬型無線ネットワーク中継装置に送信するファイル送信部と、
を有する、無線ネットワークシステム。
【請求項２】
請求項１に記載の無線ネットワークシステムにおいて、
前記可搬型無線ネットワーク中継装置は、さらに、第１の通信ネットワークに接続するための第１の通信インターフェイスを有し、
前記据え置き型無線ネットワーク中継装置は、さらに、前記第１の通信ネットワークに比べて通信帯域が広い第２の通信ネットワークに接続するための第２の通信インターフェイスを有する、無線ネットワークシステム。
【請求項３】
請求項１または請求項２に記載の無線ネットワークシステムにおいて、
前記ダウンロード要求送信部は、前記クライアントから受け取ったダウンロード要求に含まれるファイル特定情報を前記据え置き型無線ネットワーク中継装置に通知することにより、前記ダウンロード要求を前記据え置き型無線ネットワーク中継装置に送信する、無線ネットワークシステム。
【請求項４】
請求項１ないし請求項３のいずれかに記載の無線ネットワークシステムにおいて、
前記可搬型無線ネットワーク中継装置は、さらに、
前記ファイルをダウンロードするタイミングを指定するためのユーザインターフェイスを前記クライアントに提供するユーザインターフェイス提供部と、
前記受け取られたダウンロード要求に基づき前記ファイルをダウンロードする第２のファイル取得部と、
を有し、
前記ダウンロード要求送信部は、前記ユーザインターフェイスにより指定された前記タイミングが所定期間内の任意のタイミングである場合には、前記第２のファイル取得部に前記ダウンロード要求を送信し、前記指定されたタイミングが前記所定期間内の任意のタイミングでない場合には、前記可搬型無線ネットワーク中継装置と前記据え置き型無線ネットワーク中継装置とが互いに接触して接続されている際に、前記据え置き型無線通信ネットワーク中継装置に前記ダウンロード要求を送信する、無線ネットワークシステム。
【請求項５】
請求項１ないし請求項４のいずれかに記載の無線ネットワークシステムにおいて、
前記可搬型無線ネットワーク中継装置は、さらに、
バッテリーと、
前記可搬型無線ネットワーク中継装置と前記据え置き型無線ネットワーク中継装置とが互いに接触して接続されている際に、前記据え置き型無線ネットワーク中継装置から供給される電力を受ける受電部と、
前記受電部を介して供給される電力を前記バッテリーに供給する第１の給電部と、
を有し、
前記据え置き型無線ネットワーク中継装置は、さらに、前記可搬型無線ネットワーク中継装置と前記据え置き型無線ネットワーク中継装置とが互いに接触して接続されている際に、前記可搬型無線ネットワーク中継装置に電力を供給する第２の給電部を有する、無線ネットワークシステム。
【請求項６】
請求項１ないし請求項５のいずれかに記載の無線ネットワークシステムにおいて、
前記可搬型無線ネットワーク中継装置は、さらに、前記ファイル格納部を備えた着脱自在の記憶媒体を有する、無線ネットワークシステム。
【請求項７】
請求項１ないし請求項６のいずれかに記載の無線ネットワークシステムにおいて、
前記据え置き型無線ネットワーク中継装置は、さらに、
前記ダウンロード要求を前記クライアントから受け取る第２の要求受付部を有し、
前記第１の要求受付部は、前記可搬型無線ネットワーク中継装置と前記据え置き型無線ネットワーク中継装置とが互いに接触して接続されている際に、前記ダウンロード要求の受け取りを停止し、
前記第２の要求受付部は、前記可搬型無線ネットワーク中継装置と前記据え置き型無線ネットワーク中継装置とが互いに接触して接続されている際に、前記ダウンロード要求を受け取り、
前記第１のファイル取得部は、前記第２の要求受付部が受け取った前記ダウンロード要求に基づき、前記ファイルをダウンロードする、無線ネットワークシステム。
【請求項８】
請求項１ないし請求項７のいずれかに記載の無線ネットワークシステムにおいて、
前記可搬型無線ネットワーク中継装置は、さらに、前記可搬型無線ネットワーク中継装置と前記据え置き型無線ネットワーク中継装置とが互いに接触して接続されているか否かを判定する接続判定部を有し、
前記ダウンロード要求送信部は、前記接続判定部により接続されていると判定された場合に、前記ダウンロード要求を、前記据え置き型無線通信ネットワーク中継装置に送信する、無線ネットワークシステム。
【請求項９】
請求項１ないし請求項７のいずれかに記載の無線ネットワークシステムにおいて、
前記据え置き型無線ネットワーク中継装置は、さらに、
前記可搬型無線ネットワーク中継装置と前記据え置き型無線ネットワーク中継装置とが互いに接触して接続されているか否かを判定する接続判定部と、
前記接続判定部により接続されていると判定された場合に、前記ダウンロード要求の送信要求を、前記可搬型無線ネットワーク中継装置に送信する送信要求送信部と、
を有し、
前記ダウンロード要求送信部は、前記送信要求を前記据え置き型無線ネットワーク中継装置から受信すると、前記ダウンロード要求を前記据え置き型無線通信ネットワーク中継装置に送信する、無線ネットワークシステム。
【請求項１０】
据え置き型無線ネットワーク中継装置と接触して接続可能な可搬型無線ネットワーク中継装置であって、
ファイルのダウンロード要求をクライアントから受け取る要求受付部と、
前記可搬型無線ネットワーク中継装置と前記据え置き型無線ネットワーク中継装置とが互いに接触して接続されている際に、前記受け取られたダウンロード要求を、前記据え置き型無線ネットワーク中継装置に送信するダウンロード要求送信部と、
ファイル格納部と、
前記据え置き型無線ネットワーク中継装置から送信された前記ファイルを受信し、前記ファイル格納部に格納するファイル格納制御部と、
を備える、可搬型無線ネットワーク中継装置。
【請求項１１】
可搬型無線ネットワーク中継装置と接触して接続可能な据え置き型無線ネットワーク中継装置であって、
前記可搬型無線ネットワーク中継装置と前記据え置き型無線ネットワーク中継装置とが互いに接触して接続されている際に、前記可搬型無線ネットワーク中継装置から送信されたファイルのダウンロード要求を受信するダウンロード要求受信部と、
前記受信されたダウンロード要求に基づき、前記ファイルをダウンロードするファイル取得部と、
前記可搬型無線ネットワーク中継装置と前記据え置き型無線ネットワーク中継装置とが互いに接触して接続されている際に、前記ダウンロードされたファイルを、前記可搬型無線ネットワーク中継装置に送信するファイル送信部と、
を備える、据え置き型無線ネットワーク中継装置。
【請求項１２】
可搬型無線ネットワーク中継装置と、据え置き型無線ネットワーク中継装置とを備える無線ネットワークシステムの制御方法であって、
（ａ）前記可搬型無線ネットワーク中継装置において、ファイルのダウンロード要求をクライアントから受け取る工程と、
（ｂ）前記可搬型無線ネットワーク中継装置において、前記可搬型無線ネットワーク中継装置と前記据え置き型無線ネットワーク中継装置とが互いに接触して接続されている際に、前記受け取られたダウンロード要求を、前記据え置き型無線ネットワーク中継装置に送信する工程と、
（ｃ）前記据え置き型無線ネットワーク中継装置において、前記可搬型無線ネットワーク中継装置と前記据え置き型無線ネットワーク中継装置とが互いに接触して接続されている際に、前記可搬型無線ネットワーク中継装置から送信された前記ダウンロード要求を受信する工程と、
（ｄ）前記据え置き型無線ネットワーク中継装置において、前記受信されたダウンロード要求に基づき、前記ファイルをダウンロードする工程と、
（ｅ）前記据え置き型無線ネットワーク中継装置において、前記可搬型無線ネットワーク中継装置と前記据え置き型無線ネットワーク中継装置とが互いに接触して接続されている際に、前記ダウンロードされたファイルを、前記可搬型無線ネットワーク中継装置に送信する工程と、
（ｆ）前記可搬型無線ネットワーク中継装置において、前記据え置き型無線ネットワーク中継装置から送信された前記ファイルを受信し、前記可搬型無線ネットワーク中継装置が有するファイル格納部に格納する工程と、
を備える、無線ネットワークシステム制御方法。
【請求項１３】
据え置き型無線ネットワーク中継装置と接触して接続可能な可搬型無線ネットワーク中継装置を制御するためのプログラムであって、
ファイルのダウンロード要求をクライアントから受け取る機能と、
前記可搬型無線ネットワーク中継装置と前記据え置き型無線ネットワーク中継装置とが互いに接触して接続されている際に、前記受け取られたダウンロード要求を、前記据え置き型無線ネットワーク中継装置に送信する機能と、
前記据え置き型無線ネットワーク中継装置から送信された前記ファイルを受信し、前記可搬型無線ネットワーク中継装置が有するファイル格納部に格納する機能と、
を前記可搬型無線ネットワーク中継装置が備えるコンピュータに実現させるためのプログラム。
【請求項１４】
可搬型無線ネットワーク中継装置と接触して接続可能な据え置き型無線ネットワーク中継装置を制御するためのプログラムであって、
前記可搬型無線ネットワーク中継装置と前記据え置き型無線ネットワーク中継装置とが互いに接触して接続されている際に、前記可搬型無線ネットワーク中継装置から送信されたファイルのダウンロード要求を受信する機能と、
前記受信されたダウンロード要求に基づき、前記ファイルをダウンロードする機能と、
前記可搬型無線ネットワーク中継装置と前記据え置き型無線ネットワーク中継装置とが互いに接触して接続されている際に、前記ダウンロードされたファイルを、前記可搬型無線ネットワーク中継装置に送信する機能と、
を前記据え置き型無線ネットワーク中継装置が備えるコンピュータに実現させるためのプログラム。
【発明の詳細な説明】
【技術分野】
【０００１】
本発明は、無線ネットワーク中継装置を介してファイルをダウンロードする技術に関する。
【背景技術】
【０００２】
家庭やオフィスにおいて、パーソナルコンピュータやゲーム機等の無線ＬＡＮクライアント（以下、単に「クライアント」とも呼ぶ）をネットワークに接続させるために、無線ＬＡＮアクセスポイント（以下、単に「アクセスポイント」とも呼ぶ）が広く利用されている（特許文献１）。アクセスポイントとして、固定通信網が接続されず、３Ｇ／ＨＳＰＡ（High Speed Packet Access）回線等の移動体通信網が接続され、小型かつ軽量で携帯性に優れた装置（以下、「可搬型無線ネットワーク中継装置」と呼ぶ）が用いられる。可搬型無線ネットワーク中継装置を用いることにより、据え置き型無線ネットワーク中継装置が配置されていない場所（例えば、屋外など）において、クライアントをインターネットに接続させることができる。
【先行技術文献】
【特許文献】
【０００３】
【特許文献１】特開２００５−１４２９０７号公報
【発明の概要】
【発明が解決しようとする課題】
【０００４】
可搬型無線ネットワーク中継装置を介してインターネット上のサーバにあるファイルを取得（ダウンロード）する場合、移動体通信網は固定通信網に比べて通信帯域が狭いためにダウンロードに時間がかかり、可搬型無線ネットワーク中継装置のバッテリー残容量が大きく低減するという問題もあった。また、ファイルのダウンロードにより、可搬型無線ネットワーク中継装置の処理負荷が増大するために、可搬型無線ネットワーク中継装置がファイルのダウンロードとは異なる他の通信を処理している場合に、他の通信に対して通信速度の低下などの影響を与えるおそれがあった。
【０００５】
本発明は、可搬型無線ネットワーク装置の負荷の増大を抑制しつつファイルのダウンロードを実現させることを目的とする。
【課題を解決するための手段】
【０００６】
本発明は、上述の課題の少なくとも一部を解決するためになされたものであり、以下の形態又は適用例として実現することが可能である。
【０００７】
［適用例１］可搬型無線ネットワーク中継装置と、据え置き型無線ネットワーク中継装置とを備える無線ネットワークシステムであって、前記可搬型無線ネットワーク中継装置は、ファイルのダウンロード要求をクライアントから受け取る第１の要求受付部と、前記可搬型無線ネットワーク中継装置と前記据え置き型無線ネットワーク中継装置とが互いに接触して接続されている際に、前記受け取られたダウンロード要求を、前記据え置き型ネットワーク中継装置に送信するダウンロード要求送信部と、ファイル格納部と、前記据え置き型無線ネットワーク中継装置から送信された前記ファイルを受信し、前記ファイル格納部に格納するファイル格納制御部と、を有し、前記据え置き型無線ネットワーク中継装置は、前記可搬型無線ネットワーク中継装置と前記据え置き型無線ネットワーク中継装置とが互いに接触して接続されている際に、前記可搬型無線ネットワーク中継装置から送信された前記ダウンロード要求を受信するダウンロード要求受信部と、前記受信されたダウンロード要求に基づき、前記ファイルをダウンロードする第１のファイル取得部と、前記可搬型無線ネットワーク中継装置と前記据え置き型無線ネットワーク中継装置とが互いに接触して接続されている際に、前記ダウンロードされたファイルを、前記可搬型無線ネットワーク中継装置に送信するファイル送信部と、を有する、無線ネットワークシステム。適用例１の無線ネットワークシステムによると、クライアントからのダウンロード要求は、可搬型無線ネットワーク中継装置において受信され、可搬型無線ネットワーク中継装置と据え置き型無線ネットワーク中継装置とが互いに接触して接続されている際に、据え置き型無線ネットワーク中継装置に送信される。据え置き型無線ネットワーク中継装置では、受信されたダウンロード要求に基づきファイルがダウンロードされ、可搬型無線ネットワーク中継装置に送信される。したがって、ファイルのダウンロードは、据え置き型無線ネットワーク中継装置において実行されるので、可搬型無線ネットワーク中継装置の負荷の増大を抑制しつつ、ファイルのダウンロードを実現させることができる。また、可搬型無線ネットワーク中継装置の負荷の増大を抑制できるので、可搬型無線ネットワーク中継装置の有するリソース（例えば、ＣＰＵやメモリ）として、性能の低いリソース（処理速度の遅いＣＰＵや容量の小さいメモリ）を搭載することができる。したがって、可搬型無線ネットワーク中継装置の小型化及び製造コストの低廉化が可能となる。加えて、ダウンロードされたファイルは、可搬型無線ネットワーク中継装置が有するファイル格納部に格納されるので、可搬型無線ネットワーク中継装置が据え置き型無線ネットワーク中継装置から取り外された場合などにおいて、クライアントにダウンロードされたファイルを、可搬型無線ネットワーク中継装置からクライアントに提供することができる。
【０００８】
［適用例２］適用例１に記載の無線ネットワークシステムにおいて、前記可搬型無線ネットワーク中継装置は、さらに、第１の通信ネットワークに接続するための第１の通信インターフェイスを有し、前記据え置き型無線ネットワーク中継装置は、さらに、前記第１の通信ネットワークに比べて通信帯域が広い第２の通信ネットワークに接続するための第２の通信インターフェイスを有する、無線ネットワークシステム。このような構成により、第１の通信ネットワークよりも通信帯域が広い第２の通信ネットワークを介してファイルがダウンロードされるので、ファイルのダウンロード処理に要する期間を短くすることができる。
【０００９】
［適用例３］適用例１または適用例２に記載の無線ネットワークシステムにおいて、前記ダウンロード要求送信部は、前記クライアントから受け取ったダウンロード要求に含まれるファイル特定情報を前記据え置き型無線ネットワーク中継装置に通知することにより、前記ダウンロード要求を前記据え置き型無線ネットワーク中継装置に送信する、無線ネットワークシステム。このような構成により、可搬型無線ネットワーク中継装置から据え置き型無線ネットワーク中継装置に送信するダウンロード要求のデータ量を低減させることができる。
【００１０】
［適用例４］適用例１ないし適用例３のいずれかに記載の無線ネットワークシステムにおいて、前記可搬型無線ネットワーク中継装置は、さらに、前記ファイルをダウンロードするタイミングを指定するためのユーザインターフェイスを前記クライアントに提供するユーザインターフェイス提供部と、前記受け取られたダウンロード要求に基づき前記ファイルをダウンロードする第２のファイル取得部と、を有し、前記ダウンロード要求送信部は、前記ユーザインターフェイスにより指定された前記タイミングが所定期間内の任意のタイミングである場合には、前記第２のファイル取得部に前記ダウンロード要求を送信し、前記指定されたタイミングが前記所定期間内の任意のタイミングでない場合には、前記可搬型無線ネットワーク中継装置と前記据え置き型無線ネットワーク中継装置とが互いに接触して接続されている際に、前記据え置き型無線通信ネットワーク中継装置に前記ダウンロード要求を送信する、無線ネットワークシステム。このような構成により、ユーザインターフェイスを用いてファイルをダウンロードするタイミングを制御することができる。したがって、例えば、可搬型無線ネットワーク中継装置において、他の通信を処理していない場合などにおいては、可搬型無線ネットワーク中継装置が有する第２のファイル取得部を用いてファイルをダウンロードすることにより、他の通信に影響を与えないようにしつつ、リアルタイムにファイルをダウンロードすることができる。
【００１１】
［適用例５］適用例１ないし適用例４のいずれかに記載の無線ネットワークシステムにおいて、前記可搬型無線ネットワーク中継装置は、さらに、バッテリーと、前記可搬型無線ネットワーク中継装置と前記据え置き型無線ネットワーク中継装置とが互いに接触して接続されている際に、前記据え置き型無線ネットワーク中継装置から供給される電力を受ける受電部と、前記受電部を介して供給される電力を前記バッテリーに供給する第１の給電部と、を有し、前記据え置き型無線ネットワーク中継装置は、さらに、前記可搬型無線ネットワーク中継装置と前記据え置き型無線ネットワーク中継装置とが互いに接触して接続されている際に、前記可搬型無線ネットワーク中継装置に電力を供給する第２の給電部を有する、無線ネットワークシステム。このような構成により、可搬型無線ネットワーク中継装置を介さずにファイルのダウンロードを行って、バッテリーの残容量の大幅な低減を抑制することができる。加えて、バッテリーを充電するために可搬型無線ネットワーク中継装置を据え置き型無線ネットワーク中継装置に接触して接続させた際に、可搬型無線ネットワーク中継装置から据え置き型無線ネットワーク中継装置へのダウンロード要求の送信、及びダウンロードされたファイルのファイル格納部への格納を行うことができる。
【００１２】
［適用例６］適用例１ないし適用例５のいずれかに記載の無線ネットワークシステムにおいて、前記可搬型無線ネットワーク中継装置は、さらに、前記ファイル格納部を備えた着脱自在の記憶媒体を有する、無線ネットワークシステム。このような構成により、大容量の記憶媒体を用いることにより、ファイルサイズの大きなファイルをダウンロードした場合であっても、ファイル格納部に格納させることができる。
【００１３】
［適用例７］適用例１ないし適用例６のいずれかに記載の無線ネットワークシステムにおいて、前記据え置き型無線ネットワーク中継装置は、さらに、前記ダウンロード要求を前記クライアントから受け取る第２の要求受付部を有し、前記第１の要求受付部は、前記可搬型無線ネットワーク中継装置と前記据え置き型無線ネットワーク中継装置とが互いに接触して接続されている際に、前記ダウンロード要求の受け取りを停止し、前記第２の要求受付部は、前記可搬型無線ネットワーク中継装置と前記据え置き型無線ネットワーク中継装置とが互いに接触して接続されている際に、前記ダウンロード要求を受け取り、前記第１のファイル取得部は、前記第２の要求受付部が受け取った前記ダウンロード要求に基づき、前記ファイルをダウンロードする、無線ネットワークシステム。このような構成により、可搬型無線ネットワーク中継装置と据え置き型無線ネットワーク中継装置とが互いに接触して接続されている際にも、クライアントからのダウンロード要求を受け取ることができる。また、可搬型無線ネットワーク中継装置と据え置き型無線ネットワーク中継装置とが互いに接触して接続されている際に、可搬型無線ネットワーク中継装置において、クライアントとの通信を停止させることができる。したがって、可搬型無線ネットワーク中継装置と据え置き型無線ネットワーク中継装置とがいずれもクライアントと通信可能な状態となり、クライアントがいずれの装置と通信したらよいか分からず、クライアントがダウンロード要求を送信できなくなることを抑制できる。
【００１４】
［適用例８］適用例１ないし適用例７のいずれかに記載の無線ネットワークシステムにおいて、前記可搬型無線ネットワーク中継装置は、さらに、前記可搬型無線ネットワーク中継装置と前記据え置き型無線ネットワーク中継装置とが互いに接触して接続されているか否かを判定する接続判定部を有し、前記ダウンロード要求送信部は、前記接続判定部により接続されていると判定された場合に、前記ダウンロード要求を、前記据え置き型無線通信ネットワーク中継装置に送信する、無線ネットワークシステム。このような構成により、可搬型無線ネットワーク中継装置と据え置き型無線ネットワーク中継装置とが互いに接触して接続されている場合にのみ、可搬型無線ネットワーク中継装置から据え置き型無線ネットワーク中継装置にダウンロード要求を送信させることができる。したがって、可搬型無線ネットワーク中継装置と据え置き型無線ネットワーク中継装置とが互いに接触して接続されていない場合におけるダウンロード要求の送信を抑制できる。
【００１５】
［適用例９］適用例１ないし適用例７のいずれかに記載の無線ネットワークシステムにおいて、前記据え置き型無線ネットワーク中継装置は、さらに、前記可搬型無線ネットワーク中継装置と前記据え置き型無線ネットワーク中継装置とが互いに接触して接続されているか否かを判定する接続判定部と、前記接続判定部により接続されていると判定された場合に、前記ダウンロード要求の送信要求を、前記可搬型無線ネットワーク中継装置に送信する送信要求送信部と、を有し、前記ダウンロード要求送信部は、前記送信要求を前記据え置き型無線ネットワーク中継装置から受信すると、前記ダウンロード要求を前記据え置き型無線通信ネットワーク中継装置に送信する、無線ネットワークシステム。このような構成により、可搬型無線ネットワーク中継装置と据え置き型無線ネットワーク中継装置とが互いに接触して接続されている場合にのみ、可搬型無線ネットワーク中継装置から据え置き型無線ネットワーク中継装置にダウンロード要求を送信させることができる。したがって、可搬型無線ネットワーク中継装置と据え置き型無線ネットワーク中継装置とが互いに接触して接続されていない場合におけるダウンロード要求の送信を抑制できる。加えて、可搬型無線ネットワーク中継装置と据え置き型無線ネットワーク中継装置とが互いに接触して接続されているか否かの判定を、据え置き型無線ネットワーク中継装置において実行させることができるので、可搬型無線ネットワーク中継装置の処理負荷を軽減させることができる。
【００１６】
［適用例１０］据え置き型無線ネットワーク中継装置と接触して接続可能な可搬型無線ネットワーク中継装置であって、ファイルのダウンロード要求をクライアントから受け取る要求受付部と、前記可搬型無線ネットワーク中継装置と前記据え置き型無線ネットワーク中継装置とが互いに接触して接続されている際に、前記受け取られたダウンロード要求を、前記据え置き型ネットワーク中継装置に送信するダウンロード要求送信部と、ファイル格納部と、前記据え置き型無線ネットワーク中継装置から送信された前記ファイルを受信し、前記ファイル格納部に格納するファイル格納制御部と、を備える、可搬型無線ネットワーク中継装置。適用例１０の可搬型無線ネットワーク中継装置によると、クライアントからのダウンロード要求は、可搬型無線ネットワーク中継装置において受信され、可搬型無線ネットワーク中継装置と据え置き型無線ネットワーク中継装置とが互いに接触して接続されている際に、据え置き型無線ネットワーク中継装置に送信される。したがって、据え置き型無線ネットワーク中継装置において、受信されたダウンロード要求に基づきファイルをダウンロードさせることができる。それゆえ、可搬型無線ネットワーク中継装置の負荷の増大を抑制しつつ、ファイルのダウンロードを実現させることができる。また、可搬型無線ネットワーク中継装置の負荷の増大を抑制できるので、可搬型無線ネットワーク中継装置の有するリソース（例えば、ＣＰＵやメモリ）として、性能の低いリソース（処理速度の遅いＣＰＵや容量の小さいメモリ）を搭載することができる。したがって、可搬型無線ネットワーク中継装置の小型化及び製造コストの低廉化が可能となる。加えて、適用例１０の可搬型無線ネットワーク中継装置はファイル格納部及びファイル格納制御部を有するので、据え置き型無線ネットワーク中継装置によりダウンロードされたファイルが可搬型無線ネットワーク中継装置に送信されると、かかるファイルをファイル格納部に格納することができる。したがって、可搬型無線ネットワーク中継装置が据え置き型無線ネットワーク中継装置から取り外された場合などにおいて、ダウンロードされたファイルを、可搬型無線ネットワーク中継装置からクライアントに提供することができる。
【００１７】
［適用例１１］可搬型無線ネットワーク中継装置と接触して接続可能な据え置き型無線ネットワーク中継装置であって、前記可搬型無線ネットワーク中継装置と前記据え置き型無線ネットワーク中継装置とが互いに接触して接続されている際に、前記可搬型無線ネットワーク中継装置から送信されたファイルのダウンロード要求を受信するダウンロード要求受信部と、前記受信されたダウンロード要求に基づき、前記ファイルをダウンロードするファイル取得部と、前記可搬型無線ネットワーク中継装置と前記据え置き型無線ネットワーク中継装置とが互いに接触して接続されている際に、前記ダウンロードされたファイルを、前記可搬型無線ネットワーク中継装置に送信するファイル送信部と、を備える、据え置き型無線ネットワーク中継装置。適用例１１の据え置き型無線ネットワーク中継装置によると、クライアントからのダウンロード要求は、可搬型無線ネットワーク中継装置を介して据え置き型無線ネットワーク中継装置において受信される。また、据え置き型無線ネットワーク中継装置では、受信されたダウンロード要求に基づきファイルがダウンロードされ、可搬型無線ネットワーク中継装置に送信される。したがって、可搬型無線ネットワーク中継装置の負荷の増大を抑制しつつ、ファイルのダウンロードを実現させることができる。また、可搬型無線ネットワーク中継装置の負荷の増大を抑制できるので、可搬型無線ネットワーク中継装置の有するリソース（例えば、ＣＰＵやメモリ）として、性能の低いリソース（処理速度の遅いＣＰＵや容量の小さいメモリ）を搭載することができる。したがって、可搬型無線ネットワーク中継装置の小型化及び製造コストの低廉化が可能となる。加えて、ダウンロードされたファイルは、可搬型無線ネットワーク中継装置に送信されるので、可搬型無線ネットワーク中継装置がダウンロードされたファイルを格納可能であれば、可搬型無線ネットワーク中継装置が据え置き型無線ネットワーク中継装置から取り外された場合などにおいて、クライアントにダウンロードされたファイルを、可搬型無線ネットワーク中継装置からクライアントに提供することができる。
【００１８】
［適用例１２］可搬型無線ネットワーク中継装置と、据え置き型無線ネットワーク中継装置とを備える無線ネットワークシステムの制御方法であって、（ａ）前記可搬型無線ネットワーク中継装置において、ファイルのダウンロード要求をクライアントから受け取る工程と、（ｂ）前記可搬型無線ネットワーク中継装置において、前記可搬型無線ネットワーク中継装置と前記据え置き型無線ネットワーク中継装置とが互いに接触して接続されている際に、前記受け取られたダウンロード要求を、前記据え置き型ネットワーク中継装置に送信する工程と、（ｃ）前記据え置き型無線ネットワーク中継装置において、前記可搬型無線ネットワーク中継装置と前記据え置き型無線ネットワーク中継装置とが互いに接触して接続されている際に、前記可搬型無線ネットワーク中継装置から送信された前記ダウンロード要求を受信する工程と、（ｄ）前記据え置き型無線ネットワーク中継装置において、前記受信されたダウンロード要求に基づき、前記ファイルをダウンロードする工程と、（ｅ）前記据え置き型無線ネットワーク中継装置において、前記可搬型無線ネットワーク中継装置と前記据え置き型無線ネットワーク中継装置とが互いに接触して接続されている際に、前記ダウンロードされたファイルを、前記可搬型無線ネットワーク中継装置に送信する工程と、（ｆ）前記可搬型無線ネットワーク中継装置において、前記据え置き型無線ネットワーク中継装置から送信された前記ファイルを受信し、前記可搬型無線ネットワーク中継装置が有するファイル格納部に格納する工程と、を備える、無線ネットワークシステム制御方法。適用例１２の無線ネットワークシステム制御方法によると、クライアントからのダウンロード要求は、可搬型無線ネットワーク中継装置において受信され、可搬型無線ネットワーク中継装置と据え置き型無線ネットワーク中継装置とが互いに接触して接続されている際に、据え置き型無線ネットワーク中継装置に送信される。据え置き型無線ネットワーク中継装置では、受信されたダウンロード要求に基づきファイルがダウンロードされ、可搬型無線ネットワーク中継装置に送信される。したがって、ファイルのダウンロードは、据え置き型無線ネットワーク中継装置において実行されるので、可搬型無線ネットワーク中継装置の負荷の増大を抑制しつつ、ファイルのダウンロードを実現させることができる。また、可搬型無線ネットワーク中継装置の負荷の増大を抑制できるので、可搬型無線ネットワーク中継装置の有するリソース（例えば、ＣＰＵやメモリ）として、性能の低いリソース（処理速度の遅いＣＰＵや容量の小さいメモリ）を搭載することができる。したがって、可搬型無線ネットワーク中継装置の小型化及び製造コストの低廉化が可能となる。加えて、ダウンロードされたファイルは、可搬型無線ネットワーク中継装置が有するファイル格納部に格納されるので、可搬型無線ネットワーク中継装置が据え置き型無線ネットワーク中継装置から取り外された場合などにおいて、クライアントにダウンロードされたファイルを、可搬型無線ネットワーク中継装置からクライアントに提供することができる。
【００１９】
［適用例１３］据え置き型ネットワーク中継装置と接触して接続可能な可搬型ネットワーク中継装置を制御するためのプログラムであって、ファイルのダウンロード要求をクライアントから受け取る機能と、前記可搬型無線ネットワーク中継装置と前記据え置き型無線ネットワーク中継装置とが互いに接触して接続されている際に、前記受け取られたダウンロード要求を、前記据え置き型ネットワーク中継装置に送信する機能と、前記据え置き型無線ネットワーク中継装置から送信された前記ファイルを受信し、前記可搬型無線ネットワーク中継装置が有するファイル格納部に格納する機能と、を前記可搬型無線ネットワーク中継装置が備えるコンピュータに実現させるためのプログラム。適用例１３のプログラムによると、クライアントからのダウンロード要求は、可搬型無線ネットワーク中継装置において受信され、可搬型無線ネットワーク中継装置と据え置き型無線ネットワーク中継装置とが互いに接触して接続されている際に、据え置き型無線ネットワーク中継装置に送信される。したがって、据え置き型無線ネットワーク中継装置において、受信されたダウンロード要求に基づきファイルをダウンロードさせることができる。それゆえ、可搬型無線ネットワーク中継装置の負荷の増大を抑制しつつ、ファイルのダウンロードを実現させることができる。また、可搬型無線ネットワーク中継装置の負荷の増大を抑制できるので、可搬型無線ネットワーク中継装置の有するリソース（例えば、ＣＰＵやメモリ）として、性能の低いリソース（処理速度の遅いＣＰＵや容量の小さいメモリ）を搭載することができる。したがって、可搬型無線ネットワーク中継装置の小型化及び製造コストの低廉化が可能となる。加えて、適用例１３によると、据え置き型無線ネットワーク中継装置によりダウンロードされたファイルは、可搬型無線ネットワーク中継装置に送信されてファイル格納部に格納される。したがって、可搬型無線ネットワーク中継装置が据え置き型無線ネットワーク中継装置から取り外された場合などにおいて、ダウンロードされたファイルを、可搬型無線ネットワーク中継装置からクライアントに提供することができる。
【００２０】
［適用例１４］可搬型無線ネットワーク中継装置と接触して接続可能な据え置き型無線ネットワーク中継装置を制御するためのプログラムであって、前記可搬型無線ネットワーク中継装置と前記据え置き型無線ネットワーク中継装置とが互いに接触して接続されている際に、前記可搬型無線ネットワーク中継装置から送信されたファイルのダウンロード要求を受信する機能と、前記受信されたダウンロード要求に基づき、前記ファイルをダウンロードする機能と、前記可搬型無線ネットワーク中継装置と前記据え置き型無線ネットワーク中継装置とが互いに接触して接続されている際に、前記ダウンロードされたファイルを、前記可搬型無線ネットワーク中継装置に送信する機能と、を前記据え置き型無線ネットワーク中継装置が備えるコンピュータに実現させるためのプログラム。適用例１４のプログラムによると、クライアントからのダウンロード要求は、可搬型無線ネットワーク中継装置を介して据え置き型無線ネットワーク中継装置において受信される。また、据え置き型無線ネットワーク中継装置では、受信されたダウンロード要求に基づきファイルがダウンロードされ、可搬型無線ネットワーク中継装置に送信される。したがって、ファイルのダウンロードは、据え置き型無線ネットワーク中継装置において実行されるので、可搬型無線ネットワーク中継装置の負荷の増大を抑制しつつ、ファイルのダウンロードを実現させることができる。また、可搬型無線ネットワーク中継装置の負荷の増大を抑制できるので、可搬型無線ネットワーク中継装置の有するリソース（例えば、ＣＰＵやメモリ）として、性能の低いリソース（処理速度の遅いＣＰＵや容量の小さいメモリ）を搭載することができる。したがって、可搬型無線ネットワーク中継装置の小型化及び製造コストの低廉化が可能となる。加えて、ダウンロードされたファイルは、可搬型無線ネットワーク中継装置に送信されるので、可搬型無線ネットワーク中継装置がダウンロードされたファイルを格納可能であれば、可搬型無線ネットワーク中継装置が据え置き型無線ネットワーク中継装置から取り外された場合などにおいて、クライアントにダウンロードされたファイルを、可搬型無線ネットワーク中継装置からクライアントに提供することができる。
【００２１】
なお、本発明は、種々の態様で実現することが可能であり、例えば、無線ネットワーク中継装置の制御方法や、無線ネットワーク中継装置の制御用のコンピュータプログラムや、そのコンピュータプログラムを記録した記録媒体、等の形態で実現することができる。
【図面の簡単な説明】
【００２２】
【図１】本発明の一実施例としての無線ネットワークシステムの概略構成を示す説明図である。
【図２】無線ネットワークシステムの第２接続態様を示す説明図である。
【図３】第１実施例の可搬型アクセスポイントの詳細構成を示すブロック図である。
【図４】第１実施例のホームゲートウェイの詳細構成を示す説明図である。
【図５】第１実施例の無線ネットワークシステムにおいて実行されるダウンロード要求受付処理の手順を示すフローチャートである。
【図６】第１実施例の無線ネットワークシステムにおいて実行されるダウンロード処理の手順を示す第１のシーケンス図である。
【図７】第１実施例の無線ネットワークシステムにおいて実行されるダウンロード処理の手順を示す第２のシーケンス図である。
【図８】第２実施例の可搬型アクセスポイントの詳細構成を示すブロック図である。
【図９】第２実施例のホームゲートウェイの詳細構成を示すブロック図である。
【図１０】第２実施例の無線ネットワークシステムにおいて実行されるダウンロード処理の手順を示すシーケンス図である。
【図１１】第３実施例におけるダウンロード要求受付処理の手順を示すフローチャートである。
【図１２】ステップＳ１２０においてクライアントに表示される操作画面を示す説明図である。
【図１３】第４実施例の無線ネットワークシステムの概略構成を示す説明図である。
【図１４】図１３に示すクレードルの詳細構成を示すブロック図である。
【図１５】第４実施例のホームゲートウェイの詳細構成を示すブロック図である。
【発明を実施するための形態】
【００２３】
Ａ．第１実施例：
Ａ１．システム構成：
図１は、本発明の一実施例としての無線ネットワークシステムの概略構成を示す説明図である。無線ネットワークシステムＮＳは、ホームゲートウェイ２０と、可搬型アクセスポイント１０とを備えている。無線ネットワークシステムＮＳは、クライアントＣＬ１をインターネットＩＮＴに接続するためのシステムである。クライアントＣＬ１は、無線ネットワークシステムＮＳ及びインターネットＩＮＴを介して、サーバ５０に蓄積されているファイルをダウンロードすることができる。
【００２４】
無線ネットワークシステムＮＳは、ホームゲートウェイ２０及び可搬型アクセスポイント１０の接続態様として複数の接続態様を許容しており、図１に示す接続態様（第１接続態様）では、ホームゲートウェイ２０は、固定（有線）通信網（例えば、光ファイバーを用いた光回線や、メタリックケーブルを用いたＡＤＳＬ（Asymmetric Digital Subscriber Line）回線など）ＰＮを介してインターネットＩＮＴに接続されている。第１実施例において、可搬型アクセスポイント１０は、ホームゲートウェイ２０に物理的に接続（接触）されている。可搬型アクセスポイント１０がホームゲートウェイ２０に物理的に接続されるのは、後述するように可搬型アクセスポイント１０はバッテリーで駆動するため、このバッテリーにホームゲートウェイ２０を介して充電するためである。なお、第１接続態様では、可搬型アクセスポイント１０の無線ＬＡＮ通信機能は停止している。
【００２５】
第１接続態様では、可搬型アクセスポイント１０及びホームゲートウェイ２０は、いずれも同一のロケーション（ロケーションＡ）に配置されている。「同一のロケーションに配置されている」とは、互いに物理的に近接して配置されていることを意味し、例えば、本実施例の第１接続態様では、可搬型アクセスポイント１０及びホームゲートウェイ２０は、ユーザの自宅や外出先において、互いに物理的に接触して配置されている。また、第１接続態様では、クライアントＣＬ１が、可搬型アクセスポイント１０及びホームゲートウェイ２０と物理的に近接して配置されている（すなわち、ロケーションＡに配置されている）。具体的には、例えば、クライアントＣＬ１は、ユーザの自宅や外出先において、クライアントＣＬ１から出力される無線信号が可搬型アクセスポイント１０及びホームゲートウェイ２０により受信できる範囲内に配置されている。第１接続態様では、ロケーションＡにおいて、ホームゲートウェイ２０とクライアントＣＬ１とで無線ＬＡＮ３１が形成されている。具体的には、ホームゲートウェイ２０は、無線ＬＡＮアクセスポイントとして動作し、クライアントＣＬ１は、無線ＬＡＮクライアントとして動作している。また、第１接続態様において、ホームゲートウェイ２０は、ルータとしても動作し、クライアントＣＬ１から受信するレイヤ３パケットを、固定通信網ＰＮに出力し、また、固定通信網ＰＮから受信するレイヤ３パケットを、クライアントＣＬ１に中継する。本実施例において、クライアントＣＬ１は、無線ＬＡＮクライアントの機能を有する一般的なパーソナルコンピュータであるので、説明を省略する。なお、クライアントＣＬ１として、パーソナルコンピュータに代えて、ゲーム機や携帯電話端末などを採用することもできる。
【００２６】
図２は、無線ネットワークシステムの第２接続態様を示す説明図である。第２接続態様では、可搬型アクセスポイント１０とホームゲートウェイ２０とは、それぞれ異なる２つのロケーションに分かれて配置されている。具体的には、図２上段に示すように、ロケーションＡには、ホームゲートウェイ２０が配置され、図２下段に示すように、ロケーションＢには、可搬型アクセスポイント１０及びクライアントＣＬ１が配置されている。なお、第２接続態様では、ロケーションＡとロケーションＢとは互いに物理的に大きく離れており、例えば、自宅と外出先などクライアントＣＬ１とホームゲートウェイ２０とは、互いに相手が出力する無線信号を受信できない程度に離れて配置されている。
【００２７】
第２の接続態様では、ロケーションＢにおいて、可搬型アクセスポイント１０とクライアントＣＬ１とで無線ＬＡＮ３２が形成されている。具体的には、第２接続態様において、可搬型アクセスポイント１０は、無線ＬＡＮアクセスポイントとして動作し、クライアントＣＬ１は、無線ＬＡＮクライアントとして動作する。可搬型アクセスポイント１０は、無線ＬＡＮアクセスポイントとしての機能に加えて、ルータ機能と、移動体通信網ＣＮの移動体基地局ＣＢと無線通信を行う機能とを有する。移動体通信網ＣＮとしては、例えば、３Ｇ／ＨＳＰＡ（High Speed Packet Access）回線を採用することができる。第２接続態様において、クライアントＣＬ１は、可搬型アクセスポイント１０及び移動体通信網ＣＮを介してインターネットＩＮＴに接続することができる。一般に、移動体通信網ＣＮの通信帯域は、固定通信網ＰＮの通信帯域よりも狭いので、第２接続態様におけるサーバ５０からのファイルのダウンロード速度は、図１に示す第１接続態様におけるサーバ５０からのファイルのダウンロード速度よりも遅い。
【００２８】
第２接続態様は、例えば、図１に示す第１接続態様から、ユーザが、可搬型アクセスポイント１０をホームゲートウェイ２０から取り外し、クライアントＣＬ１と可搬型アクセスポイント１０とをロケーションＢに移動させた場合に形成され得る。また、第１接続態様は、例えば、図２に示す第２接続態様から、クライアントＣＬ１と可搬型アクセスポイント１０とがロケーションＡに戻され、可搬型アクセスポイント１０をホームゲートウェイ２０に接続した場合に形成され得る。
【００２９】
図３は、第１実施例の可搬型アクセスポイントの詳細構成を示すブロック図である。可搬型アクセスポイント１０は、ＣＰＵ（Central Processing Unit）１１０と、ＲＯＭ（Read Only Memory）１３０と、メモリカードドライブ１３５と、ＲＡＭ（Random Access Memory）１４０と、ＷＰＳ（Wi-Fi Protected Setup）ボタン１４５と、無線ＬＡＮ制御回路１５２と、移動体通信制御回路１５４と、ＵＳＢ（Universal Serial Bus）制御回路１６０と、ＵＳＢ接続インターフェイス１６２と、バッテリー１７０と、受電部１７２と、電源接続インターフェイス１７４とを備えている。可搬型アクセスポイント１０は、小型かつ軽量であり、携帯性に優れている。
【００３０】
ＣＰＵ１１０は、ＲＯＭ１３０に格納されているパケット中継用のアプリケーションプログラムを実行することにより、転送処理部１１２及び転送制御部１１３として機能する。転送処理部１１２は、ルータ機能部１１２ｒ及びブリッジ機能部１１２ｂを有しており、各通信インターフェイス（無線ＬＡＮ制御回路１５２、移動体通信制御回路１５４、ＵＳＢ接続インターフェイス１６２）を介して入力されるパケット（レイヤ３パケット及びレイヤ２フレーム）を、宛先アドレスに従って転送する。転送制御部１１３は、転送処理部１１２を制御する。
【００３１】
また、ＣＰＵ１１０は、ＲＯＭ１３０に格納されているファイルのダウンロード要求を受け付けるためのプログラムを実行することにより、接続監視部１１４と、ダウンロード要求受付部１１５と、ダウンロード要求送信部１１６と、ユーザインターフェイス（Ｕ／Ｉ）提供部１１７として機能する。接続監視部１１４は、可搬型アクセスポイント１０のホームゲートウェイ２０への接続を監視する。ダウンロード要求受付部１１５は、クライアントＣＬ１から送信されるファイルのダウンロード要求を受け付ける。ダウンロード要求送信部１１６は、後述のダウンロード処理において、クライアントＣＬ１より受け付けたダウンロード要求をホームゲートウェイ２０に送信する。ユーザインターフェイス提供部１１７は、ダウンロード要求を受け付けるための操作画面をクライアントＣＬ１に表示させる。
【００３２】
また、ＣＰＵ１１０は、ＲＯＭ１３０に格納されているファイル共有のためのプログラムを実行することにより、ファイル共有制御部１１８として機能する。ファイル共有のためのプログラムとして、例えば、ＣＩＦＳ（Common Internet File System）等のファイル共有のためのプロトコルを実現するためのプログラムを採用し得る。なお、ＣＩＦＳを実現するためのプログラムを採用した場合に、ファイル共有制御部１１８は、ＣＩＦＳサーバとして動作する。
【００３３】
ＲＯＭ１３０には、上述した各アプリケーションプログラムに加えて、指定ＵＲＬ（Uniform Resource Locator）格納部１３１が格納されている。指定ＵＲＬ格納部１３１は、後述するダウンロード要求受付処理において、クライアントＣＬ１から送信されるファイルのダウンロード要求に含まれるＵＲＬを格納する。
【００３４】
メモリカードドライブ１３５は、図示しないスロットに挿入されたメモリカード１３６からデータを読み出し、また、メモリカード１３６へのデータの書き込みを行う。メモリカード１３６としては、例えば、ＳＤメモリカードや、コンパクトフラッシュ（登録商標）や、スマートメディア等の、可搬型アクセスポイント１０に着脱自在に装着される任意の記憶媒体を採用することができる。
【００３５】
ＷＰＳボタン１４５は、Ｗｉ−Ｆｉアライアンスにより規定された仕様に則り、クライアントＣＬ１に対して、無線通信に用いる各種設定情報（ＳＳＩＤ（Service Set Identifier）や、セキュリティ種別や、セキュリティキーなど）を通知して設定させるためのボタンである。
【００３６】
無線ＬＡＮ制御回路１５２は、変調器やアンプ、アンテナを含み、例えばＩＥＥＥ８０２．１１ａ／ｂ／ｇに準拠した無線ＬＡＮのアクセスポイントとして動作し、無線ＬＡＮクライアントと無線通信を行う。移動体通信制御回路１５４は、変調器やアンプ、アンテナを含み、３Ｇ／ＨＳＰＡ等に準拠した移動体通信の端末として、移動体通信網の基地局と無線通信を行う。
【００３７】
ＵＳＢ制御回路１６０は、ＵＳＢ規格に従ったデータのやりとりを制御する。ＵＳＢ接続インターフェイス１６２は、制御回路１６０に接続されており、ＵＳＢ規格に従った物理的な接続インターフェイス群からなる。ＵＳＢ接続インターフェイス１６２は、可搬型アクセスポイント１０がホームゲートウェイ２０に接続される際に、ホームゲートウェイ２０において対向する後述のＵＳＢ接続インターフェイスと接続（接触）される。受電部１７２は、ホームゲートウェイ２０から電源接続インターフェイス１７４を介して供給される電力を受けて、バッテリー１７０に電力を供給する。電源接続インターフェイス１７４は、可搬型アクセスポイント１０がホームゲートウェイ２０に接続される際に、ホームゲートウェイ２０において対向する後述の電源接続インターフェイスと接続（接触）される。電源接続インターフェイス１７４は、後述するホームゲートウェイ２０の電源接続インターフェイスから供給される電力を、受電部１７２に送る。
【００３８】
図４は、第１実施例のホームゲートウェイの詳細構成を示す説明図である。ホームゲートウェイ２０は、ＣＰＵ２１０と、ＲＯＭ２３０と、ＲＡＭ２４０と、ＷＰＳボタン２４５と、無線ＬＡＮ制御回路２５２と、ＵＳＢ制御回路２６０と、ＵＳＢ接続インターフェイス２６２と、Ｅｔｈｅｒｎｅｔ（登録商標）インターフェイス２６８と、Ｅｔｈｅｒｎｅｔスイッチ部２６６と、ＵＳＢ／Ｅｔｈｅｒｎｅｔ変換部２６４と、受電部２７２と、給電部２７３と、電源接続インターフェイス２７４とを備えている。ホームゲートウェイ２０は、可搬型アクセスポイント１０に比べて大型かつ重く、固定通信網ＰＮと接続されていることから、ロケーションＡに据え置かれて用いられる。
【００３９】
ＣＰＵ２１０は、ＲＯＭ２３０に格納されているパケット中継用のアプリケーションプログラムを実行することにより、転送処理部２１２及び転送制御部２１３として機能する。転送処理部２１２は、ルータ機能部２１２ｒを備えている。転送処理部２１２は、図３に示す可搬型アクセスポイント１０の転送処理部１１２と同様であるので、説明を省略する。同様に、ルータ機能部２１２ｒは図３に示す可搬型アクセスポイント１０のルータ機能部１１２ｒと、転送制御部２１３は図３に示す可搬型アクセスポイント１０の転送制御部１１３と、それぞれ同様であるので、説明を省略する。
【００４０】
また、ＣＰＵ２１０は、ＲＯＭ２３０に格納されているファイルのダウンロード用のプログラムを実行することにより、ダウンロード要求受付部２１４及びダウンロード実行部２１５として機能する。ダウンロード要求受付部２１４は、後述するダウンロード処理において、可搬型アクセスポイント１０から送信されるダウンロード要求を受け付ける。ダウンロード実行部２１５は、後述するダウンロード処理において、指定されたＵＲＬに従ってサーバ５０からのファイルのダウンロードを実行する。
【００４１】
また、ＣＰＵ２１０は、ＲＯＭ２３０に格納されているファイル共有のためのプログラムを実行することにより、ファイル共有制御部２１８として機能する。ファイル共有のためのプログラムとして、例えば、ＣＩＦＳ（Common Internet File System）等のファイル共有のためのプロトコルを実現するためのプログラムを採用し得る。なお、ＣＩＦＳを実現するためのプログラムを採用した場合に、ファイル共有制御部１１８は、ＣＩＦＳクライアントとして動作する。
【００４２】
ＲＯＭ２３０には、上述した各プログラムに加えて、指定ＵＲＬ格納部２３１が格納されている。指定ＵＲＬ格納部２３１は、後述するダウンロード処理において、可搬型アクセスポイント１０から送信されるダウンロード要求に含まれるＵＲＬを格納する。
【００４３】
なお、ホームゲートウェイ２０が有する各リソース（ＣＰＵ２１０やＲＯＭ２３０）は、可搬型アクセスポイント１０が有する各リソース（ＣＰＵ１１０やＲＯＭ１１０）よりも、処理性能が高い。これは、ホームゲートウェイ２０は、実装スペースの制限が可搬型アクセスポイント１０に比べて緩いので、より多くのＲＯＭを搭載できたり、大型のヒートシンクを搭載できるので処理速度が高く高温になり易いＣＰＵを搭載できる等の理由による。
【００４４】
ＲＯＭ２３０には、上述した各アプリケーションプログラムに加えて、指定ＵＲＬ格納部を有する。指定ＵＲＬ格納部２３１には、後述するダウンロード処理において、可搬型アクセスポイント１０から送信されるダウンロード要求に含まれるＵＲＬを格納する。
【００４５】
ＷＰＳボタン２４５は、図３に示す可搬型アクセスポイント１０のＷＰＳボタン１４５と同じであるので、説明を省略する。同様に、無線ＬＡＮ制御回路２５２は図３に示す可搬型アクセスポイント１０の無線ＬＡＮ制御回路１５２と、ＵＳＢ制御回路２６０は図３に示す可搬型アクセスポイント１０のＵＳＢ制御回路１６０と、それぞれ同様であるので、説明を省略する。
【００４６】
ＵＳＢ接続インターフェイス２６２は、ＵＳＢ規格に従った物理的な接続インターフェイス群からなり、可搬型アクセスポイント１０がホームゲートウェイ２０に接続される際に、可搬型アクセスポイント１０において対向するＵＳＢ接続インターフェイス１６０と接続（接触）される。
【００４７】
Ｅｔｈｅｒｎｅｔインターフェイス２６８は、Ｅｔｈｅｒｎｅｔにおけるレイヤ１，２のプロトコルを処理する機能部であり、固定通信網ＰＮにおける図示しないアクセス回線と接続するためのネットワークケーブルが接続されている。Ｅｔｈｅｒｎｅｔスイッチ部２６６は、Ｅｔｈｅｒｎｅｔインターフェイス２６８及びＵＳＢ／Ｅｔｈｅｒｎｅｔ変換部２６４に接続されており、Ｅｔｈｅｒｎｅｔインターフェイス２６８及びＵＳＢ／Ｅｔｈｅｒｎｅｔ変換部２６４から入力されるＥｔｈｅｒｎｅｔフレームを、宛先ＭＡＣ（Media Access Control）アドレスに従って中継する。
【００４８】
ＵＳＢ／Ｅｔｈｅｒｎｅｔ変換部２６４は、ＵＳＢ制御回路２６０及びＵＳＢ／Ｅｔｈｅｒｎｅｔ変換部２６４に接続されている。ＵＳＢ／Ｅｔｈｅｒｎｅｔ変換部２６４は、ＵＳＢ制御回路２６０から受信したＵＳＢパケットをＥｔｈｅｒｎｅｔフレームに変換してＥｔｈｅｒｎｅｔスイッチ部２６６に出力し、また、Ｅｔｈｅｒｎｅｔスイッチ部２６６から受信したＥｔｈｅｒｎｅｔフレームを、ＵＳＢパケットに変換してＵＳＢ制御回路２６０に出力する。
【００４９】
受電部２７２は、外部電源より供給される電力を受けて、給電部２７３に供給する。給電部２７３は、可搬型アクセスポイント１０がホームゲートウェイ２０に接続される際に、受電部２７２から供給される電力を、電源接続インターフェイス２７４を介してホームゲートウェイ２０に供給する。
【００５０】
以上の構成を有する無線ネットワークシステムＮＳでは、後述するダウンロード要求受付処理及びダウンロード処理を実行することにより、第２接続態様においてクライアントＣＬ１からファイルのダウンロード要求があった場合に、可搬型アクセスポイント１０の負荷の増大を抑制しつつ、ダウンロードを実現することができる。
【００５１】
前述の可搬型アクセスポイント１０は、請求項における可搬型無線ネットワーク中継装置に相当する。また、ホームゲートウェイ２０は請求項における据え置き型無線ネットワーク中継装置に、移動体通信網ＣＮは請求項における第１の通信ネットワークに、移動体通信制御回路１５４は請求項における第１の通信インターフェイスに、ダウンロード要求受付部１１５は請求項における第１の要求受付部に、メモリカード１３６は記憶媒体に、ファイル共有制御部１１８は請求項におけるファイル格納制御部に、固定通信網ＰＮは請求項における第２の通信ネットワークに、Ｅｔｈｅｒｎｅｔインターフェイス２６８は請求項における第２の通信インターフェイスに、ダウンロード要求受付部２１４は請求項におけるダウンロード要求受信部に、ダウンロード実行部２１５は請求項における第１のファイル取得部に、ファイル共有制御部２１６は請求項におけるファイル送信部に、受電部１７２は請求項における受電部及び第１の給電部に、給電部２７３は請求項における第２の給電部に、接続監視部１１４は請求項における接続判定部に、それぞれ相当する。
【００５２】
Ａ２．ダウンロード要求受付処理：
図５は、第１実施例の無線ネットワークシステムにおいて実行されるダウンロード要求受付処理の手順を示すフローチャートである。可搬型アクセスポイント１０では、電源がオンされると、ダウンロード要求受付処理が実行される。
【００５３】
可搬型アクセスポイント１０において、接続監視部１１４は、可搬型アクセスポイント１０がホームゲートウェイ２０に接続されたか否かを監視している（ステップＳ１０５）。この監視は、例えば、電源接続インターフェイス１７４への給電の有無により実現することができる。また、例えば、ＵＳＢ規格における装置間の接続検出シーケンスによって実現することができる。
【００５４】
可搬型アクセスポイント１０において、ダウンロード要求受付部１１５は、ホームゲートウェイ２０との接続が検出されないと（ステップＳ１０５：ＮＯ）、クライアントＣＬ１からダウンロード要求を受信するか否かを監視する（ステップＳ１１０）。第１接続態様では、可搬型アクセスポイント１０の無線ＬＡＮ通信機能は停止しているので、クライアントＣＬ１からのファイルのダウンロード要求は受信しない。これに対して、第２接続態様では、可搬型アクセスポイント１０の無線ＬＡＮ通信機能（無線ＬＡＮアクセスポイント機能）は動作しているので、クライアントＣＬ１からのファイルのダウンロード要求を受信することができる。なお、クライアントＣＬ１からのファイルのダウンロード要求は、例えば、サーバ５０におけるファイルを特定するＵＲＬと、ダウンロード実行指示とがクライアントＣＬ１のＷＥＢブラウザに入力された場合に、クライアントＣＬ１から可搬型アクセスポイント１０に送信される。
【００５５】
可搬型アクセスポイント１０において、ダウンロード要求受付部１１５は、クライアントＣＬ１からのファイルのダウンロード要求を受信すると（ステップＳ１１０：ＹＥＳ）、ダウンロード要求に含まれるＵＲＬを、指定ＵＲＬ格納部１３１に格納する（ステップＳ１１５）。
【００５６】
前述のステップＳ１０５においてホームゲートウェイ２０との接続が検出された場合（ステップＳ１０５：ＹＥＳ）には、接続が検出されなくなるまで待機する。また、前述のステップＳ１１０においてダウンロード要求の受信が検出されない場合（ステップＳ１１０：ＮＯ）は、ダウンロード要求の受信が検出されるまで待機する。
【００５７】
このように、可搬型アクセスポイント１０では、第２接続態様においてクライアントＣＬ１からファイルのダウンロード要求を受信すると、ダウンロード要求に含まれる指定されたＵＲＬが指定ＵＲＬ格納部１３１に格納される。しかしながら、指定されたＵＲＬで特定されるファイルのダウンロードは即時に実行されず、後述するダウンロード処理において実行される。
【００５８】
Ａ３．ダウンロード処理：
図６は、第１実施例の無線ネットワークシステムにおいて実行されるダウンロード処理の手順を示す第１のシーケンス図である。図７は、第１実施例の無線ネットワークシステムにおいて実行されるダウンロード処理の手順を示す第２のシーケンス図である。図６及び図７において、左側は可搬型アクセスポイント１０において実行される手順を示すフローチャートを、右側はホームゲートウェイ２０において実行される手順を示すフローチャートを、それぞれ示す。図７に示すシーケンスは、図６に示すシーケンスに引き続き実行される。可搬型アクセスポイント１０及びホームゲートウェイ２０では、それぞれ電源がオンされると、ダウンロード処理が実行される。
【００５９】
図６に示すように、可搬型アクセスポイント１０において、接続監視部１１４は、可搬型アクセスポイント１０がホームゲートウェイ２０に接続されたか否かを監視している（ステップ２０５）。この処理は、前述のダウンロード要求受付処理のステップＳ１０５と同じであるので、説明を省略する。
【００６０】
可搬型アクセスポイント１０とホームゲートウェイ２０との接続が検出されると（ステップＳ２０５：ＹＥＳ）、可搬型アクセスポイント１０において、転送制御部１１３は、無線ＬＡＮ制御回路１５２の動作を停止させる（ステップＳ２１０）。例えば、図２に示す第２接続態様から、可搬型アクセスポイント１０及びクライアントＣＬ１がロケーションＡに戻されて図１に示す第１接続態様となった場合には、可搬型アクセスポイント１０がホームゲートウェイ２０に接続されたと判定され、可搬型アクセスポイント１０の無線通信機能（無線ＬＡＮアクセスポイントとしての機能）は停止する。このように、可搬型アクセスポイント１０とホームゲートウェイ２０とが接続されたと判定された場合に可搬型アクセスポイント１０の無線通信機能を停止させるのは、可搬型アクセスポイント１０とホームゲートウェイ２０との間におけるノイズ干渉や、電波干渉の発生を抑制するためである。
【００６１】
可搬型アクセスポイント１０において、ダウンロード要求送信部１１６は、ＵＳＢ制御回路１６０を制御して、ホームゲートウェイ検索パケットを、ＵＳＢ接続インターフェイス１６２を介して出力（ブロードキャスト）する（ステップＳ２１５）。このホームゲートウェイ検索パケットには、可搬型アクセスポイント１０のＭＡＣアドレスが含まれている。
【００６２】
ホームゲートウェイ２０において、ダウンロード要求受付部２１４は、電源オンの後、ＵＳＢ接続インターフェイス２６２を介したホームゲートウェイ検索パケットの受信を監視している（ステップＳ３０５）。ダウンロード要求受付部２１４は、ホームゲートウェイ検索パケットの受信を検出すると（ステップＳ３０５：ＹＥＳ）、かかるパケットに含まれるＭＡＣアドレスを宛先アドレスとして、応答パケットを送信（返信）する（ステップＳ３１０）。この応答パケットには、ホームゲートウェイ２０のＭＡＣアドレスが含まれている。
【００６３】
可搬型アクセスポイント１０において、ダウンロード要求送信部１１６は、ホームゲートウェイ検索パケットを送信した後（前述のステップＳ２１５の後）、応答パケットを受信するまで待機している（ステップＳ２２０）。ダウンロード要求送信部１１６は、応答パケットの受信を検出すると（ステップＳ２２０：ＹＥＳ）、指定ＵＲＬ格納部１３１にＵＲＬが格納されているか否かを判定する（ステップＳ２２５）。指定ＵＲＬ格納部１３１にＵＲＬが格納されていると判定されると（ステップＳ２２５：ＹＥＳ）、ダウンロード要求送信部１１６は、指定ＵＲＬ格納部１３１に格納されているＵＲＬを含むファイルのダウンロード要求パケットを、ＵＳＢ接続インターフェイス１６２を介してホームゲートウェイ２０に送信する（ステップＳ２３０）。
【００６４】
ホームゲートウェイ２０において、ダウンロード要求受付部２１４は、応答パケットを送信した後（前述のステップＳ３１０の後）、所定期間内におけるダウンロード要求パケットの受信を監視している（ステップＳ３１５）。所定期間内にダウンロード要求パケットを受信しない場合（ステップＳ３１５：ＮＯ）、図７に示すように、前述のステップＳ３０５に戻る。これに対し、所定期間内にダウンロード要求パケットを受信した場合（ステップＳ３１５：ＹＥＳ）、ダウンロード要求受付部２１４は、応答パケットを可搬型アクセスポイント１０に送信する（ステップＳ３２０）。
【００６５】
可搬型アクセスポイント１０において、ダウンロード要求送信部１１６は、前述のステップＳ２３０の後、所定期間内にホームゲートウェイ２０から応答パケットを受信するか否かを判定し（ステップＳ２３５）、応答パケットを受信しない場合（ステップＳ２３５：ＮＯ）、前述のステップＳ２３０に戻り、再度ダウンロード要求パケットをホームゲートウェイ２０に送信する。これに対して、所定期間内に応答パケットを受信した場合（ステップＳ２３５：ＹＥＳ）、ファイル共有制御部１１８は、指定ＵＲＬ格納部１３１に格納されているＵＲＬを削除する（ステップＳ２４０）。
【００６６】
ホームゲートウェイ２０において、ダウンロード要求受付部２１４は、応答パケットを送信した後（前述のステップＳ３２０の後）、可搬型アクセスポイント１０から受信した指定ＵＲＬを指定ＵＲＬ格納部２３１に格納する（ステップＳ３２５）。図７に示すように、ホームゲートウェイ２０において、ダウンロード実行部２１５は、指定ＵＲＬ格納部２３１に格納されている指定ＵＲＬに従って、ファイルのダウンロード要求をサーバ５０に向けて送信する（ステップＳ３３０）。
【００６７】
サーバ５０へのダウンロード要求は、Ｅｔｈｅｒｎｅｔインターフェイス２６８を介して固定通信網ＰＮに出力され、固定通信網ＰＮ及びインターネットＩＮＴを介してサーバ５０に到達する。サーバ５０からのファイルの送信（ダウンロード）は、インターネットＩＮＴ及び固定通信網ＰＮを介してホームゲートウェイ２０に届く。このように、無線ネットワークシステムＮＳでは、サーバ５０へのファイルのダウンロード要求の送信、及びサーバ５０からのファイルのダウンロードは、いずれも固定通信網ＰＮを介して実行される。これは、移動体通信網ＣＮに比べて通信帯域のより広い通信ネットワークを介してファイルのダウンロードを行うことで、高速ダウンロードを実現するためである。加えて、サーバ５０へのファイルのダウンロード要求の送信、及びサーバ５０からのファイルのダウンロードは、いずれもホームゲートウェイ２０において行われる。これは、より高い性能のリソース（ＣＰＵやＲＯＭ）を有する装置においてファイルのダウンロードを行うことで、高速ダウンロードを実現するためである。
【００６８】
ホームゲートウェイ２０において、ファイル共有制御部２１６は、サーバ５０からダウンロードされたファイルを、ＵＳＢ接続インターフェイス２６２を介して可搬型アクセスポイント１０に送信し（ステップＳ３３５）、再び前述のステップＳ３０５に戻る。
【００６９】
図７に示すように、可搬型アクセスポイント１０において、ファイル共有制御部１１８は、前述のステップＳ２４０の後、又は、前述のステップＳ２２５において指定ＵＲＬ格納部１３１にＵＲＬが格納されていないと判定された場合（ステップＳ２２５：ＮＯ）、所定期間内にダウンロードされたファイルを受信するか否かを判定する（ステップＳ２４５）。所定期間内にダウンロードファイルを受信した場合（ステップＳ２４５：ＹＥＳ）、ファイル共有制御部１１８は、受信したファイルをメモリカード１３６に格納する（ステップＳ２５０）。このように、メモリカード１３６に格納するのは、可搬型アクセスポイント１０がホームゲートウェイ２０から取り外され、第２接続態様から第１接続態様に変わった後に、クライアントＣＬ１に対して、メモリカード１３６に格納されているファイルを供給できるからである。前述のステップＳ２４５において、所定期間内にダウンロードファイルを受信しないと判定されると（ステップＳ２４５：ＮＯ）、前述のステップＳ２０５に戻る。
【００７０】
以上説明した第１実施例の無線ネットワークシステムＮＳでは、第２接続態様において、クライアントＣＬ１からのダウンロード要求を可搬型アクセスポイント１０において受信し、可搬型アクセスポイント１０がホームゲートウェイ２０と物理的に接続された場合に、ダウンロード要求で指定されたＵＲＬを含むダウンロード要求を、ホームゲートウェイ２０に送信する。ホームゲートウェイ２０は、可搬型アクセスポイント１０から受信した指定ＵＲＬにより特定されるファイルをサーバ５０からダウンロードする。したがって、ファイルのダウンロードは、ホームゲートウェイ２０において実行されるので、可搬型アクセスポイント１０の処理負荷の増大を抑制しつつ、ファイルのダウンロードを実現させることができる。それゆえ、バッテリー１７０の残容量の大幅な低減を抑制することができると共に、可搬型アクセスポイント１０が他の通信を処理している場合に、この他の通信への影響を抑制できる。
【００７１】
加えて、ホームゲートウェイ２０におけるファイルのダウンロードは、通信帯域が比較的広い固定通信網ＰＮを介して実行されるので、高速ダウンロードを実現できる。また、ホームゲートウェイ２０は、可搬型アクセスポイント１０に比べてより高い性能のリソース（ＣＰＵやＲＯＭ）を有するので、高速ダウンロードを実現できる。したがって、第１実施例の無線ネットワークシステムＮＳによると、第２接続態様において、可搬型アクセスポイント１０に接続されたクライアントＣＬ１からファイルのダウンロード要求があった場合に、ダウンロードの処理に要する期間を短くすることができる。
【００７２】
また、ダウンロードされたファイルは、可搬型アクセスポイント１０が有するメモリカード１３６に格納されるので、第１接続態様から再び第２接続態様となった場合などにおいて、可搬型アクセスポイント１０からクライアントＣＬ１にダウンロードされたファイルを提供することができる。したがって、第１実施例の無線ネットワークシステムＮＳによれば、例えば、以下のような利用形態が実現できる。可搬型アクセスポイント１０が移動体通信網ＣＮと接続できない場所（例えば、地下など）において第２接続態様が実現されており、クライアントＣＬ１からファイルのダウンロード要求があった場合には、可搬型アクセスポイント１０のバッテリー１７０を充電するためにホームゲートウェイ２０に可搬型アクセスポイント１０が接続された際にファイルがダウンロードされる。その後、再び第２接続態様となった場合に、可搬型アクセスポイント１０からクライアントＣＬ１にファイルを供給する。このような利用形態によると、再び第２接続態様となった場所が地下等であっても、ユーザは、ファイルの閲覧等を行うことができる。
【００７３】
また、ダウンロードされたファイルの格納先はメモリカード１３６なので、メモリカード１３６として、大容量の記憶領域を有するメモリカードを用いることにより、ファイルサイズの大きなファイルをダウンロードして格納させることができる。
【００７４】
また、可搬型アクセスポイント１０とホームゲートウェイ２０とが互いに接続された場合に、可搬型アクセスポイント１０の無線通信機能が停止されるので、クライアントＣＬ１が、いずれの装置と通信したらよいか分からず、ダウンロード要求を送信できなくなることを抑制できる。
【００７５】
Ｂ．第２実施例：
図８は、第２実施例の可搬型アクセスポイントの詳細構成を示すブロック図である。図９は、第２実施例のホームゲートウェイの詳細構成を示すブロック図である。図８に示す可搬型アクセスポイント１０ａは、ＣＰＵ１１０が接続監視部として機能しない点において、図３に示す第１実施例の可搬型アクセスポイント１０と異なり、他の構成は、第１実施例の可搬型アクセスポイント１０と同じである。図９に示すホームゲートウェイ２０ａは、ＣＰＵ２１０が接続監視部２１７として機能する点において、図４に示す第１実施例のホームゲートウェイ２０と異なり、他の構成は、第１実施例のホームゲートウェイ２０と同じである。なお、接続監視部２１７は、請求項における接続判定部に相当する。
【００７６】
図１０は、第２実施例の無線ネットワークシステムにおいて実行されるダウンロード処理の手順を示すシーケンス図である。図１０において左側及び右側は、図６に示す第１実施例のシーケンス図の左側及び右側と同じであるので、説明を省略する。なお、図１０に示すシーケンスに引き続き、前述の図７に示すシーケンスが実行される。第２実施例の無線ネットワークシステムでは、可搬型アクセスポイント１０ａがホームゲートウェイ２０ａに接続されると、ホームゲートウェイ２０ａから可搬型アクセスポイント１０ａにダウンロード要求の送信が要求され、この要求に応じて、可搬型アクセスポイント１０ａがダウンロード要求をホームゲートウェイ２０ａに送信する。
【００７７】
具体的には、ホームゲートウェイ２０ａにおいて、接続監視部２１７は、可搬型アクセスポイント１０がホームゲートウェイ２０に接続されたか否かを監視する（ステップＳ５０５）。この処理は、図６に示す第１実施例のステップＳ２０５と同様である。
【００７８】
ステップＳ５０５において、可搬型アクセスポイント１０ａとホームゲートウェイ２０ａとの接続が検出されると（ステップＳ５０５：ＹＥＳ）、ホームゲートウェイ２０ａにおいて、ダウンロード要求受付部２１４は、可搬型アクセスポイント検索パケットを、ＵＳＢ接続インターフェイス２６２を介して送信（ブロードキャスト）する（ステップＳ５１０）。この処理は、図６に示すステップＳ２１５と同様である。なお、第２実施例において、ダウンロード要求受付部２１４は、請求項における送信要求送信部に相当する。
【００７９】
可搬型アクセスポイント１０ａにおいて、ダウンロード要求送信部１１６は、電源オンの後、ＵＳＢ接続インターフェイス１６２を介した可搬型アクセスポイント検索パケットの受信を監視している（ステップＳ４０５）。ダウンロード要求送信部１１６は、可搬型アクセスポイント検索パケットの受信を検出すると（ステップＳ４０５：ＹＥＳ）、前述のステップＳ２１０（無線ＬＡＮ機能停止）を行い、応答パケットをホームゲートウェイ２０ａに送信する（ステップＳ４１５）。
【００８０】
ホームゲートウェイ２０ａにおいて、ダウンロード要求受付部２１４は、前述のステップＳ５１０の後、応答パケットを受信するまで待機している（ステップＳ５１５）。ダウンロード要求受付部２１４は、応答パケットを受信すると（ステップＳ５１５：ＹＥＳ）、ダウンロード要求の送信要求パケットを、ＵＳＢ接続インターフェイス２６２を介して可搬型アクセスポイント１０ａに送信する（ステップＳ５２０）。ステップＳ５２０が実行された後、ホームゲートウェイ２０ａでは、ステップＳ３１５以降の処理が実行される。
【００８１】
可搬型アクセスポイント１０ａにおいて、ダウンロード要求送信部１１６は、前述のステップＳ４１５の後、ダウンロード要求の送信要求パケットを受信するまで待機している（ステップＳ４２０）。ダウンロード要求送信部１１６は、ダウンロード要求の送信要求パケットを受信すると（ステップＳ４２０：ＹＥＳ）、前述のステップＳ２２５を実行し、以下、可搬型アクセスポイント１０ａにおいて、ステップＳ２３０以降の処理が実行される。
【００８２】
以上の構成を有する第２実施例の無線ネットワークシステムは、第１実施例の無線ネットワークシステムＮＳと同じ効果を有する。加えて、可搬型アクセスポイント１０ａは、ホームゲートウェイ２０ａとの接続監視や、無線通信設定情報群の能動的な送信を行わないので、可搬型アクセスポイント１０ａにおける負荷を軽減できる。
【００８３】
Ｃ．第３実施例：
図１１は、第３実施例におけるダウンロード要求受付処理の手順を示すフローチャートである。第３実施例の無線ネットワークシステムは、第２接続態様において、所定の条件を満たす場合に、可搬型アクセスポイント１０において、ファイルのダウンロードが実行される点において、第１実施例の無線ネットワークシステムＮＳと異なり、他の構成は、第１実施例の無線ネットワークシステムＮＳと同じである。
【００８４】
図１１に示すように、第３実施例のダウンロード要求受付処理は、ステップＳ１２０〜Ｓ１４５を追加して実行する点において、図５に示す第１実施例のダウンロード要求受付処理と異なり、他の手順は、第１実施例と同じである。
【００８５】
可搬型アクセスポイント１０において、ダウンロード要求に含まれるＵＲＬが指定ＵＲＬ格納部１３１に格納されると（ステップＳ１１５）、ユーザインターフェイス提供部１１７は、ダウンロードのタイミングを指定するための操作画面を生成してクライアントＣＬ１に送ることにより、かかる操作画面をクライアントＣＬ１に表示させる（ステップＳ１２０）。
【００８６】
図１２は、ステップＳ１２０において、クライアントに表示される操作画面を示す説明図である。この操作画面Ｗ１０は、ダウンロードのタイミングを指定するための領域Ａ１と、決定ボタンＢ３と、キャンセルボタンＢ４とを備えている。図１２に示すように、領域Ａ１には、ダウンロードのタイミングを指定するための２つのラジオボタンＢ１，Ｂ２が配置されている。ラジオボタンＢ１は、ダウンロードのタイミングとして「即時」を指定するためのボタンである。ラジオボタンＢ２は、ダウンロードのタイミングとして「後ほど」を指定するためのボタンである。タイミング「即時」とは、決定ボタンＢ３が押下された場合に、即座にファイルのダウンロードを実行することを意味する。これに対して、タイミング「後ほど」とは、第１実施例と同様に、可搬型アクセスポイント１０とホームゲートウェイ２０とが互いに物理的に接続されて第１接続態様となった際に、ファイルのダウンロードを実行することを意味する。図１２の例では、ラジオボタンＢ１が選択されている。なお、第３実施例において、操作画面Ｗ１０は、請求項におけるユーザインターフェイスに相当する。
【００８７】
図１２に示す操作画面Ｗ１０において、ダウンロードのタイミングが選択されて、決定ボタンＢ３が押されると、選択されたダウンロードのタイミングを示す情報が、クライアントＣＬ１から可搬型アクセスポイント１０に送信される。
【００８８】
前述のステップＳ１２０の後、図１１に示すように、可搬型アクセスポイント１０において、ダウンロード要求受付部１１５は、ダウンロードのタイミングを示す情報を受信するまで待機しており（ステップＳ１２５）、かかる情報を受信すると、指定されたダウンロードのタイミングが「即時」であるか否かを判定する（ステップＳ１３０）。
【００８９】
前述のステップＳ１３０において、指定されたダウンロードのタイミングが「即時」でない、すなわち、「後ほど」の場合には、前述のステップＳ１０５に戻る。したがって、この場合には、第１実施例と同様にしてダウンロード処理が実行され、第１接続態様となった際に、ファイルのダウンロードが実行される。
【００９０】
前述のステップＳ１３０において、指定されたダウンロードのタイミングが「即時」の場合（ステップＳ１３０：ＹＥＳ）、ダウンロード要求送信部１１６は、移動体通信制御回路１５４を制御して、移動体通信網ＣＮに発信する（ステップＳ１３５）。
【００９１】
ダウンロード要求送信部１１６は、指定ＵＲＬ格納部１３１に格納されている指定ＵＲＬに従って、ファイルのダウンロード要求をサーバ５０に向けて送信する（ステップＳ１４０）。ダウンロード要求送信部１１６は、サーバ５０からダウンロードされたファイルを、ファイル共有制御部１１８を制御して、メモリカード１３６に格納する（ステップＳ１４５）。このように、第３実施例では、ユーザにより指定されたダウンロードタイミングが「即時」の場合には、サーバ５０へのダウンロード要求の送信、及びサーバ５０からのファイルのダウンロードは、可搬型アクセスポイント１０によって移動体通信網ＣＮを介して実行される。なお、第３実施例において、ダウンロード要求送信部１１６は、請求項における第２のファイル取得部にも相当する。
【００９２】
以上の構成を有する第３実施例の無線ネットワークシステムは、指定されたダウンロードタイミングが「即時」でない場合には、第１実施例の無線ネットワークシステムＮＳと同様の効果を有する。加えて、ダウンロードのタイミングを指定するための操作画面Ｗ１０をクライアントＣＬ１に表示させ、かかる操作画面Ｗ１０において指定（選択）されたタイミングに従ってファイルのダウンロードを行うので、ユーザは、ファイルのダウンロードの実行タイミングを制御することができる。したがって、例えば、クライアントＣＬ１が移動体通信網ＣＮを介した他の通信を行っていない場合などには、他の通信に影響を与えることなく、かつ、ファイルの取得に要する期間を短くすることができる。また、例えば、ファイルサイズの小さいファイルをダウンロードしようとする場合には、可搬型アクセスポイント１０を介してファイルをダウンロードしても、バッテリー１７０の残容量の大幅な低減は発生しない。したがって、このような場合には、可搬型アクセスポイント１０を介してファイルをダウンロードすることにより、ファイルの取得に要する期間を短くすることができる。
【００９３】
Ｄ．第４実施例：
図１３は、第４実施例の無線ネットワークシステムの概略構成を示す説明図である。図１３では、第４実施例の無線ネットワークシステムＮＳａの第１接続態様を示している。第４実施例の無線ネットワークシステムＮＳａは、可搬型アクセスポイント１０がクレードル４０を介してホームゲートウェイ２０ｂと接続される点において、図１に示す第１実施例の無線ネットワークシステムＮＳと異なり、他の構成は、第１実施例の無線ネットワークシステムＮＳと同じである。クレードル４０は、ネットワークケーブルＣａ１によりホームゲートウェイ２０ｂに接続されている。クレードル４０は、接触により可搬型アクセスポイント１０に物理的に接続されると、可搬型アクセスポイント１０に給電すると共に、可搬型アクセスポイント１０とホームゲートウェイ２０ｂとの間のデータのやりとりを仲介する。
【００９４】
図１４は、図１３に示すクレードルの詳細構成を示すブロック図である。クレードル４０は、ＵＳＢ制御回路４６０と、ＵＳＢ接続インターフェイス４６２と、ＵＳＢ／Ｅｔｈｅｒｎｅｔ変換部４６４と、Ｅｔｈｅｒｎｅｔスイッチ部４６６と、Ｅｔｈｅｒｎｅｔインターフェイス４６８と、受電部４７２と、給電部４７３と、電源接続インターフェイス４７４とを備えている。
【００９５】
ＵＳＢ制御回路４６０は、図４に示す第１実施例のＵＳＢ制御回路２６０と同じ機能を有するので、説明を省略する。同様に、ＵＳＢ接続インターフェイス４６２は図４に示すＵＳＢ接続インターフェイス２６２と、ＵＳＢ／Ｅｔｈｅｒｎｅｔ変換部４６４は図４に示すＵＳＢ／Ｅｔｈｅｒｎｅｔ変換部２６４と、Ｅｔｈｅｒｎｅｔスイッチ部４６６は図４に示すＥｔｈｅｒｎｅｔスイッチ部２６６と、受電部４７２は図４に示す受電部２７２と、給電部４７３は図４に示す給電部２７３と、電源接続インターフェイス４７４は図４に示す電源接続インターフェイス２７４と、それぞれ同じ機能を有するので、説明を省略する。
【００９６】
図１５は、第４実施例のホームゲートウェイの詳細構成を示すブロック図である。第４実施例のホームゲートウェイ２０ｂは、ＵＳＢ制御回路２６０と、ＵＳＢ接続インターフェイス２６２と、ＵＳＢ／Ｅｔｈｅｒｎｅｔ変換部２６４と、電源接続インターフェイス２７４とを備えていない点において、図４に示す第１実施例のホームゲートウェイ２０と異なり、他の構成は、第１実施例と同じである。すなわち、第４実施例では、第１実施例のホームゲートウェイ２０の一部の機能部が、クレードル４０によって実現されている。換言すると、第４実施例のホームゲートウェイ２０ｂ及びクレードル４０は、第１実施例のホームゲートウェイ２０に相当する。
【００９７】
第４実施例におけるダウンロード受付処理は、第１実施例のダウンロード受付処理と同じである。また、第４実施例におけるダウンロード処理は、ホームゲートウェイ２０ｂと可搬型アクセスポイント１０との間の情報のやりとりを、クレードル４０が中継する点において、図５に示す第１実施例の設定更新処理と異なり、他の手順は第１実施例と同じである。
【００９８】
以上の構成を有する第４実施例の無線ネットワークシステムＮＳａは、第１実施例と同じ効果を有する。加えて、第３実施例では、ＵＳＢ／Ｅｔｈｅｒｎｅｔの変換は、クレードル４０が実行するので、ＵＳＢ／Ｅｔｈｅｒｎｅｔ変換を行う機能部を有していないホームゲートウェイを用いて無線ネットワークシステムＮＳａを実現することができる。
【００９９】
Ｅ．変形例：
この発明は、上記の実施例や実施形態に限られるものではなく、その要旨を逸脱しない範囲において種々の態様において実施することが可能であり、例えば次のような変形も可能である。
【０１００】
Ｅ１．変形例１：
第３実施例では、操作画面Ｗ１０により指定可能なファイルのダウンロードのタイミングは、「即座」又は「後ほど」であったが、本発明は、これらのタイミングに限定されるものではない。例えば、「１０分以内」又は「１０分よりも後」など、所定期間内又は所定期間経過した後といったタイミングを指定可能とすることができる。この構成では、「所定期間内」が選択された場合には、所定期間の任意のタイミングで、可搬型アクセスポイント１０を介してサーバ５０にダウンロード要求を送信し、「所定期間経過した後」が選択された場合には、所定期間経過した後において、第１接続態様となった場合に、第１実施例と同様にして、可搬型アクセスポイント１０を介してサーバ５０にダウンロード要求を送信することができる。
【０１０１】
また、第３実施例では、ファイルをダウンロードするタイミングの指定を許容するユーザインターフェイスは、クライアントＣＬ１に表示される操作画面Ｗ１０であったが、本発明は、これに限定されるものではない。例えば、可搬型アクセスポイント１０にダウンロードのタイミングを指定するためのボタン（例えば、「即座」を指定するためのボタンと、「後ほど」を指定するためのボタン）を配置することもできる。すなわち、一般には、ファイルをダウンロードするタイミングの指定を許容する任意のユーザインターフェイスを、本発明の無線ネットワークシステムに採用することができる。
【０１０２】
Ｅ２．変形例２：
第１，２，４実施例では、ファイルのダウンロードのタイミングは、第１接続態様となって、可搬型アクセスポイント１０，１０ａとホームゲートウェイ２０，２０ａ，２０ｂとが、互いに物理的に接触されたタイミングであった。また、第３実施例では、操作画面Ｗ１０により指定されたタイミングであった。しかしながら、本発明は、これらのタイミングに限定されるものではない。例えば、ダウンロード受付処理において、ダウンロード要求に含まれるＵＲＬが指定ＵＲＬ格納部１３１に格納された後（ステップＳ１１５の後）に、移動体基地局ＣＢから出力される信号の受信信号強度を検出し、受信信号強度が所定の強度よりも強い場合には、可搬型アクセスポイント１０を介して即座にダウンロードを実行し、受信信号強度が所定の強度よりも弱い場合には、第１実施例と同様に、第１接続態様となった場合にダウンロードを実行する構成を採用することもできる。
【０１０３】
Ｅ３．変形例３：
各実施例では、クライアントＣＬ１からのダウンロード要求は可搬型アクセスポイント１０，１０ａが受け付けていたが、可搬型アクセスポイント１０，１０ａに代えて、ホームゲートウェイ２０，２０ａ，２０ｂが受け付ける構成を採用することができる。例えば、第１接続態様では、可搬型アクセスポイント１０，１０ａの無線ＬＡＮ通信機能（無線ＬＡＮアクセスポイント機能）は停止しているため、第１接続態様においてクライアントＣＬ１からダウンロード要求があった場合には、ホームゲートウェイ２０，２０ａ，２０ｂがかかる要求を受け付ける構成を採用することが好ましい。この構成では、ホームゲートウェイ２０，２０ａ，２０ｂにおいて、ステップＳ３２５以降の処理を実行することにより、ダウンロードしたファイルを可搬型アクセスポイント１０，１０ａのメモリカード１３６に格納することができる。なお、ホームゲートウェイ２０，２０ａ，２０ｂにおいて、ダウンロード要求受付部２１４がダウンロード要求を受け付ける構成では、ダウンロード要求受付部２１４は、請求項における第２の要求受付部に相当する。
【０１０４】
Ｅ４．変形例４：
各実施例では、ダウンロードしたファイルの格納先は、可搬型アクセスポイント１０，１０ａに装着されたメモリカード１３６であったが、本発明は、これに限定されるものではない。例えば、ホームゲートウェイ２０，２０ａ，２０ｂがハードディスクを備える構成であれば、かかるハードディスクをダウンロードファイルの格納先とすることもできる。このような構成により、第１接続態様においてサーバ５０にダウンロード要求を送信したにも関わらず、ネットワーク障害やサーバ５０の故障等によりファイルをダウンロードできないまま、可搬型アクセスポイント１０，１０ａがホームゲートウェイ２０，２０ａ，２０ｂから取り外された場合においても、その後ダウンロードが成功した場合に、ファイルを格納しておくことができる。また、この構成では、その後再び第１接続態様となった際に、ダウンロードしたおいたファイルを可搬型アクセスポイント１０，１０ａに送信することができる。その際、可搬型アクセスポイント１０，１０ａに送信したファイルはハードディスクから削除することが好ましい。また、ホームゲートウェイ２０，２０ａ，２０ｂにネットワークを介して記憶装置を有する装置（例えば、ＮＡＳ（Network Attached Storage））が接続されている構成では、かかる装置にダウンロードしたファイルを格納することもできる。
【０１０５】
Ｅ５．変形例５：
各実施例では、サーバ５０は、インターネットＩＮＴを介してホームゲートウェイ２０と接続されていたが、インターネットＩＮＴに代えて、電気通信事業者等が提供する広域イーサネット（イーサネットは登録商標）網や、ＩＰ−ＶＰＮ網を介して接続される構成を採用することができる。また、ホームゲートウェイ２０，２０ａ，２０ｂが、無線ＬＡＮ３１とは異なるＬＡＮと接続された構成では、かかるＬＡＮを介してサーバ５０と接続される構成を採用することができる。
【０１０６】
Ｅ６．変形例６：
各実施例では、ダウンロード対象となるファイルを特定する情報は、ＵＲＬであったが、ＵＲＬに代えて、ＵＲＮ（Uniform Resource Name）など、ファイルを特定可能な任意の情報（ＵＲＩ：Uniform Resource Identifier）を採用することができる。
【０１０７】
Ｅ７．変形例７：
各実施例では、クライアントＣＬ１をインターネットＩＮＴに接続させるための無線ネットワーク中継装置として、可搬型アクセスポイント及びホームゲートウェイを用いていたが、本発明は、これらの装置に限定されるものではない。可搬型アクセスポイント１０，１０ａに代えて、無線ＬＡＮアクセスポイントの機能や、移動体通信網の移動体基地局と無線通信を行う機能や、ルータ機能を有する任意の装置（例えば、携帯電話端末）を採用することができる。また、ホームゲートウェイ２０，２０ａ，２０ｂに代えて、レイヤ３スイッチなど、無線ＬＡＮアクセスポイント及びルータとして動作し、固定通信網ＰＮに接続可能な任意の無線ネットワーク中継装置を採用することができる。
【０１０８】
Ｅ８．変形例８：
各実施例では、固定通信網ＰＮの通信帯域は、移動体通信網ＣＮの通信帯域よりも広い構成であったが、本発明はこれに限定されるものではない。固定通信網ＰＮと移動体通信網ＣＮとで通信帯域が同じ構成や、固定通信網ＰＮの通信帯域が移動体通信網ＣＮの通信帯域よりも狭い構成を採用することもできる。これらの構成においても、ファイルのダウンロードは、ホームゲートウェイ２０，２０ａ，２０ｂにおいて実行されるので、可搬型アクセスポイント１０、１０ａの処理負荷の増大を抑制できる。
【０１０９】
Ｅ９．変形例９：
各実施例における可搬型アクセスポイント１０，１０ａや、ホームゲートウェイ２０，２０ａ，２０ｂの構成は、あくまで一例であり、種々変形可能である。例えば、各実施例において、無線ＬＡＮ制御回路１５２，２５２は、ＩＥＥＥ８０２．１１ａ／ｂ／ｇに準拠した無線ＬＡＮに限らず、将来的に利用可能となる無線ＬＡＮ一般により無線通信を行う無線通信インターフェイスであるとしてもよい。また、移動体通信制御回路１５４は、３Ｇ／ＨＳＰＡに準拠した移動体通信に限らず、例えばＬＴＥや次世代モバイルＷｉＭＡＸ（ＩＥＥＥ８０２．１６ｍ）、次世代ＰＨＳ（ＸＧＰ：eXtended Global Platform）といった将来的に利用可能となる移動体通信一般により無線通信を行う無線通信インターフェイスであるとしてもよい。
【０１１０】
また、各実施例では、可搬型アクセスポイントとホームゲートウェイとの間におけるデータのやりとりのための接続インターフェイスは、ＵＳＢであったが、ＵＳＢに代えて、他の任意の通信インターフェイスを採用することができる。また、本発明は、無線ＬＡＮや移動体通信に限らず、所定の無線ネットワークにおける無線通信一般に適用することができる。
【０１１１】
また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。また、本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。すなわち、「コンピュータ読み取り可能な記録媒体」とは、データを一時的ではなく固定可能な任意の記録媒体を含む広い意味を有している。
【符号の説明】
【０１１２】
ＮＳ，ＮＳａ…無線ネットワークシステム
Ａ，Ｂ…ロケーション
１０，１０ａ…可搬型アクセスポイント
２０，２０ａ，２０ｂ…ホームゲートウェイ
５０…サーバ
ＣＬ１…クライアント
３１，３２…無線ＬＡＮ
ＩＮＴ…インターネット
ＰＮ…固定通信網
ＣＮ…移動体通信網
ＣＢ…移動体基地局
１１０…ＣＰＵ
１１２…転送処理部
１１２ｂ…ブリッジ機能部
１１２ｒ…ルータ機能部
１１３…転送制御部
１１４…接続監視部
１１５…ダウンロード要求受付部
１１６…ダウンロード要求送信部
１１７…ユーザインターフェイス提供部
１１８…ファイル共有制御部
１３０…ＲＯＭ
１３１…指定ＵＲＬ格納部
１３５…メモリカードドライブ
１３６…メモリカード
１４５…ＷＰＳボタン
１５２…無線ＬＡＮ制御回路
１５４…移動体通信制御回路
１６０…ＵＳＢ制御回路
１６２…ＵＳＢ接続インターフェイス
１７０…バッテリー
１７２…受電部
１７４…電源接続インターフェイス
２１０…ＣＰＵ
２１２…転送処理部
２１２ｒ…ルータ機能部
２１３…転送制御部
２１４…ダウンロード要求受付部
２１５…ダウンロード実行部
２１６…ファイル共有制御部
２１７…接続監視部
２３０…ＲＯＭ
２３１…指定ＵＲＬ格納部
２４０…ＲＡＭ
２６０…ＵＳＢ制御回路
２６２…ＵＳＢ接続インターフェイス
２６４…ＵＳＢ／Ｅｔｈｅｒｎｅｔ変換部
２６６…Ｅｔｈｅｒｎｅｔスイッチ部
２６８…Ｅｔｈｅｒｎｅｔインターフェイス
２７２…受電部
２７３…給電部
２７４…電源接続インターフェイス
４０…クレードル
４６０…ＵＳＢ制御回路
４６２…ＵＳＢ接続インターフェイス
４６４…ＵＳＢ／Ｅｔｈｅｒｎｅｔ変換部
４６６…Ｅｔｈｅｒｎｅｔスイッチ部
４６８…Ｅｔｈｅｒｎｅｔインターフェイス
４７２…受電部
４７３…給電部
４７４…電源接続インターフェイス
Ｗ１０…操作画面
Ａ１…領域
Ｂ１，Ｂ２…ラジオボタン
Ｂ３…決定ボタン
Ｂ４…キャンセルボタン
Ｃａ１…ネットワークケーブル
【図１】
0005737030.tif 000002
【図２】
0005737030.tif 000003
【図３】
0005737030.tif 000004
【図４】
0005737030.tif 000005
【図５】
0005737030.tif 000006
【図６】
0005737030.tif 000007
【図７】
0005737030.tif 000008
【図８】
0005737030.tif 000009
【図９】
0005737030.tif 000010
【図１０】
0005737030.tif 000011
【図１１】
0005737030.tif 000012
【図１２】
0005737030.tif 000013
【図１３】
0005737030.tif 000014
【図１４】
0005737030.tif 000015
【図１５】
0005737030.tif 000016